(57)【特許請求の範囲】
【請求項１】
衣料品であって、
互いに結合された第１組の糸を含む第１の布であり、前記第１組の糸の各糸が、エレクトロパーマネント磁気特性を有する金属化合物を含む、第１の布と、
前記第１の布に結合された第２の布であり、当該第２の布は、互いに結合された第２組の糸を含み、前記第２組の糸の各糸がエレクトロパーマネント磁気特性を有する金属化合物を含む、第２の布と、
を有する衣料品。
【請求項２】
前記第１組の糸に結合された第１組のトランスミッタと、
前記第２組の糸に結合された第２組のトランスミッタと、
前記第１組のトランスミッタ及び前記第２組のトランスミッタに結合された１つ以上のコントローラであり、前記第１組のトランスミッタ又は前記第２組のトランスミッタのうちの１つ以上を介して、前記第１組の糸又は前記第２組の糸のうちの１つ以上の中の１つ以上のターゲット糸に電流を印加する１つ以上のコントローラと、
を更に含む請求項１に記載の衣料品。
【請求項３】
前記電流は、前記１つ以上のターゲット糸の中の折り目の作成を開始させるものである、請求項２に記載の衣料品。
【請求項４】
前記電流は、前記第２の布に対する前記第１の布のスライドを開始させるものである、請求項２に記載の衣料品。
【請求項５】
前記１つ以上のコントローラは、前記１つ以上のターゲット糸に前記電流を一時的に印加する、請求項２に記載の衣料品。
【請求項６】
電源を更に含む請求項１に記載の衣料品。
【請求項７】
互いに結合された一組の糸であり、当該一組の糸の各糸が、エレクトロパーマネント磁気特性を有する金属化合物を含む、一組の糸、
を有する布。
【請求項８】
前記一組の糸に結合された一組のトランスミッタと、
前記一組のトランスミッタに結合されたコントローラであり、前記一組のトランスミッタを介して前記一組の糸の中の１つ以上のターゲット糸に電流を印加するコントローラと、
を更に含む請求項７に記載の布。
【請求項９】
前記電流は、前記１つ以上のターゲット糸の中の折り目の作成を開始させるものである、請求項８に記載の布。
【請求項１０】
コントローラを動作させる方法であって、
第１組の糸又は第２組の糸のうちの１つ以上の中の１つ以上のターゲット糸に、それぞれ、第１組のトランスミッタ又は第２組のトランスミッタのうちの１つ以上を介して電流を印加することを有し、
前記第１組の糸は第１の布の一部であり、前記第２組の糸は第２の布の一部であり、前記第１組の糸及び前記第２組の糸の各糸が、エレクトロパーマネント磁気特性を有する金属化合物を含む、
方法。
【請求項１１】
前記電流が、前記１つ以上のターゲット糸の中の折り目の作成を開始させる、請求項１０に記載の方法。
【請求項１２】
前記電流が、前記第２の布に対する前記第１の布のスライドを開始させる、請求項１０に記載の方法。
【請求項１３】
前記電流は、前記１つ以上のターゲット糸に一時的に印加される、請求項１０乃至１２の何れか一項に記載の方法。
【請求項１４】
一組の命令を有する少なくとも１つの非一時的なコンピュータ読み取り可能記憶媒体であって、前記命令は、コントローラによって実行されるときに該コントローラに、
第１組の糸又は第２組の糸のうちの１つ以上の中の１つ以上のターゲット糸に、それぞれ、第１組のトランスミッタ又は第２組のトランスミッタのうちの１つ以上を介して電流を印加させ、
前記第１組の糸は第１の布の一部であり、前記第２組の糸は第２の布の一部であり、前記第１組の糸及び前記第２組の糸の各糸が、エレクトロパーマネント磁気特性を有する金属化合物を含む、
少なくとも１つの非一時的なコンピュータ読み取り可能記憶媒体。
【請求項１５】
前記電流は、前記１つ以上のターゲット糸の中の折り目の作成を開始させるものである、請求項１４に記載の少なくとも１つの非一時的なコンピュータ読み取り可能記憶媒体。
【請求項１６】
前記電流は、前記第２の布に対する前記第１の布のスライドを開始させるものである、請求項１４に記載の少なくとも１つの非一時的なコンピュータ読み取り可能記憶媒体。
【請求項１７】
前記電流は、前記１つ以上のターゲット糸に一時的に印加されるものである、請求項１４乃至１６の何れか一項に記載の少なくとも１つの非一時的なコンピュータ読み取り可能記憶媒体。
【請求項１８】
衣料品を構築する方法であって、
互いに結合された第１組の糸を含む第１の布を供給し、前記第１組の糸の各糸が、エレクトロパーマネント磁気特性を有する金属化合物を含み、
互いに結合された第２組の糸を含む第２の布を供給し、前記第２組の糸の各糸が、エレクトロパーマネント磁気特性を有する金属化合物を含み、且つ
前記第１組の糸のうちの１つ以上を、前記第２組の糸のうちの１つ以上に隣接させて位置付ける、
ことを有する方法。
【請求項１９】
前記第１組の糸又は前記第２組の糸のうちの１つ以上の中の１つ以上のターゲット糸に、それぞれ、第１組のトランスミッタ又は第２組のトランスミッタのうちの１つ以上を介して電流を印加する、
ことを更に含む請求項１８に記載の方法。
【請求項２０】
前記電流が、前記１つ以上のターゲット糸の中の折り目の作成を開始させる、請求項１９に記載の方法。
【請求項２１】
前記電流が、前記第２の布に対する前記第１の布のスライドを開始させる、請求項１９に記載の方法。
【請求項２２】
前記電流は、前記１つ以上のターゲット糸に一時的に印加される、請求項１９に記載の方法。
【発明の詳細な説明】
【技術分野】
【０００１】
実施形態は、概して衣類に関する。より具体的には、実施形態は、調節可能な縫い目に基づいてカット変化する衣類に関する。
【背景技術】
【０００２】
従来の衣料品は、糸とともに縫い合わされた固定サイズの布ピースで製造され得る。衣類のスタイル及びフィットを決定するために、布ピースのサイズ及び形状が、縫い目のタイプとともに、ファッションデザイナによって選定され得る。衣料品が作成された後、調節を為すことは、衣類の様々な部分を（例えば仕立屋によって）手作業で縫い直すことを伴い得る。また、仕立屋によって為される変更にかかわらず、衣類の全体的なカットは同じままであり得る。
【図面の簡単な説明】
【０００３】
以下の明細書及び添付の特許請求の範囲を読むことによって、及び以下の図を参照することによって、実施形態の様々な利点が当業者に明らかになる。
【図１】一実施形態に従った複数の布の間の相対的なシフトの一例の斜視図である。
【図２】一実施形態に従った複数の布の間の相対的なシフトの一例の端面図である。
【図３】一実施形態に従った糸モデルの一例のブロック図である。
【図４】一実施形態に従った布の折り目の作成の一例の斜視図である。
【図５Ａ】図５Ａ−５Ｂは、一実施形態に従った、横方向に配されたエレクトロパーマネント磁気特性を有する布の折り目の作成の一例の端面図である。
【図５Ｂ】図５Ａ−５Ｂは、一実施形態に従った、横方向に配されたエレクトロパーマネント磁気特性を有する布の折り目の作成の一例の端面図である。
【図６Ａ】図６Ａ−６Ｂは、一実施形態に従った、横方向に配されたエレクトロパーマネント磁気特性を有する複数の布の間の積層折り目構成の一例の端面図である。
【図６Ｂ】図６Ａ−６Ｂは、一実施形態に従った、横方向に配されたエレクトロパーマネント磁気特性を有する複数の布の間の積層折り目構成の一例の端面図である。
【図７Ａ】実施形態に従った、横方向に配されたエレクトロパーマネント磁気特性を有する糸に関する磁気分布オプションの例を示す図である。
【図７Ｂ】実施形態に従った、長手方向に配されたエレクトロパーマネント磁気特性を有する糸に関する磁気分布オプションの例を示す図である。
【図８】実施形態に従った、横方向に配されたエレクトロパーマネント磁気特性を有する折り目及び積層折り目の作成の例の端面図である。
【図９】一実施形態に従った布の一例を平面図である。
【図１０】一実施形態に従った衣料品を構築する方法の一例のフローチャートである。
【図１１】一実施形態に従ったコントローラを動作させる方法の一例のフローチャートである。
【発明を実施するための形態】
【０００４】
ここで図１及び図２を参照するに、複数の布１０（１０ａ、１０ｂ）が示されており、布１０は一般的に、例えば、フォーマルウェア（例えば、法服、タキシード）、仕事服（例えば、スーツ、シャツ、パンツ、ブラウス、スカート）、活動着（例えば、運動服、ジャージ、ヘッドバンド）、下着、軍服（例えば、抗重力フライトスーツ、カモフラージュ）、医療服（例えば、患者衣、外科用マスク）、建設着（例えば、ツールベルト）などの、衣料品を構築するように、他の布（図示せず）とともに使用され得る。更に詳細に説明することになるように、布１０の各々が、エレクトロパーマネントな磁気特性を持つ１つ以上の金属化合物を有する糸を含み得る。従って、第１の布１０ａからの糸が第２の布１０ｂの糸に近接させられるとき、これら２つの布１０の間に磁気結合（例えば、磁気的な“縫い目”）が作り出され得る。図示した例では、衣料品の着用者に合わせて異なるフィットを達成するために、布１０の間の相対的な位置が、衣料品の構築後に自動的に調節され得る。実際、この調節は、衣料品が着用されながら行われ得る。また、この自動調節は、例えば衣料品の熱特性及び／又は密度における変化などの、その他の性能変化をも提供し得る。
【０００５】
より具体的には、図２の拡大端面図が例示することには、第１の布１０ａは、（例えば、織り、編み、レース編み、フェルト化、編組、織り付けなどによって）互いに結合された一組の糸を含むことができ、特定の糸１２が、当該糸１２に電流が印加されないときに永久磁石として動作し得る。同様に、第２の布１０ｂは、互いに結合された一組の糸を含むことができ、別の糸１４も、当該糸１４に電流が印加されないときに永久磁石として動作し得る。糸１２、１４が反対極性を有する場合、（例えば時間ｔ０にて）糸１２、１４を互いに隣接させて位置付けることで、これら２つの布１０の間に磁気結合を作り出すことができる。故に、図示の例では、この磁気結合を指し示すために、糸１２、１４を１つの塗りつぶしパターンでマーキングしている。
【０００６】
２つの布１０の間の相対位置を自動調節するために、例えば糸１４などのターゲット糸に、（例えば時間ｔ１にて）一時的に電流を印加し得る。糸１４のエレクトロパーマネント磁気特性により、電流は糸１４に正味の磁場を持たない（例えば、もはや永久磁石として動作しない）ようにさせ得る。このような状態の間、なおも永久磁石として動作しているものである図示の糸１２は自動的に、永久磁石として動作する近くの糸１６（例えば、極性が異なるという条件で）と磁気結合を形成し得る。故に、電流は、第２の布１０ｂを横切っての第１の布１０ａの“スライド”（例えば、“スナップ取付け”効果を生じさせる）を開始させ得る。糸１２、１６の間の結合が形成されると、糸１４から電流が取り除かれ得る。糸１４から電流を取り除くことは、糸１４が、自動的に永久磁石に転換し戻って、第１の布１０ａ内の隣接する糸と磁気結合を形成するようにさせ得る。
【０００７】
２つの布１０の間の相対位置は、例えば糸１６などの別のターゲット糸に、（例えば、時間ｔ２にて）一時的に電流を印加することによって更に調節され得る。糸１６のエレクトロパーマネント磁気特性により、電流は糸１６に正味の磁場を持たないようにさせ得る。このような状態の間、なおも永久磁石として動作しているものである図示の糸１２は自動的に、永久磁石として動作する近くの糸１８（例えば、極性が異なるという条件で）と磁気結合を形成し得る。糸１２、１８の間の結合が形成されると、糸１６から電流が取り除かれ得る。糸１６から電流を取り除くことは、糸１６が、自動的に永久磁石に転換し戻って、第１の布１０ａ内の隣接する糸と磁気結合を形成するようにさせ得る。図示したアプローチは、布１０を反対方向にスライドさせるために容易に反転され得る。
【０００８】
図３は、金属化合物２２が横方向又は長手方向の何れかで糸基材２４（例えば、比較的フレキシブルな繊維製品）に適用された糸モデル２０を示しており、図示の金属化合物２２はエレクトロパーマネント磁気特性を有する。より具体的には、金属化合物２２は、電磁石２６（例えば、巻線した鉄）及び二材料の永久磁石２８（２８ａ、２８ｂ）を含み得る。図示した二材料永久磁石２８は、磁気的に硬い材料２８ａ（例えば、ネオジム−鉄−ホウ素／ＮｄＦｅＢ、又は比較的高い固有保磁力を有する他の合金）と、磁気的に軟らかい材料２８ｂ（例えば、鉄−コバルト−バナジウム、又は比較的低い固有保磁力を有する他の合金）とを含む。故に、電磁石２６に電流が印加されるとき、軟質材料２８ｂの磁化が変化して、二材料永久磁石２８が正味の磁場を持たないようにすることができる。糸基材２４は、ここに記載される調節可能な縫い合わせ技術を達成するために、金属化合物２２の様々な成分で選択的にコーティングされ得る。また、特定の衣料品の複数の異なる布が、異なる金属化合物を有する糸を有していてもよい。
【０００９】
図４及び図５Ａ−５Ｂは、互いに結合された一組の糸を有する布３０を示しており、一組の糸の各糸が、横方向に配されたエレクトロパーマネント磁気特性を有する金属化合物を含んでいる。故に、金属化合物は、既に説明した金属化合物２２（図３）と同様とし得る。図示した例では、電流の一時的な印加が概して折り目の作成を開始させ得る。より具体的には、元々は（例えば、時間ｔ０にて）（例えば、電流が印加されないとき）永久磁石として動作する第１のターゲット糸３２に、（例えば、時間ｔ１にて）電流が印加され得る。電流は、第１のターゲット糸３２が正味の磁場を持たない（例えば、もはや永久磁石として動作しない）ようにさせ得る。このような状態の間、図示した糸３６及び３８は依然として永久磁石として動作し得る。従って、糸３６、３８が自動的に（例えば、時間ｔ２にて）布３０のカットを効果的に変化させる磁気結合を形成し得る。
【００１０】
糸３６、３８の間の結合が形成されると、糸３８に（例えば時間ｔ３にて）電流を印加することによって、糸３８が第２のターゲット糸として取り扱われ得る。電流は、第２のターゲット糸３８が正味の磁場を持たないようにさせ得る。従って、糸３６、３４が自動的に（例えば、時間ｔ４にて）互いに磁気結合を形成し得る。折り目のサイズを大きくするため、糸３４に（例えば、時間ｔ５にて）電流を印加することによって（例えば、それを第３のターゲット糸として機能させて正味の磁場を持たないようにさせる）、このプロセスが繰り返され得る。このような状態の間、図示した糸３６及び３９は依然として永久磁石として動作し得る。従って、糸３６、３９が自動的に（例えば、時間ｔ６にて）折り目のサイズを大きくする磁気結合を形成し得る。
【００１１】
同様に、次いで、糸３９に（例えば時間ｔ７にて）電流を印加することによって、糸３９が第４のターゲット糸として取り扱われ得る。電流は、第４のターゲット糸３９が正味の磁場を持たないようにさせ得る。従って、糸３６、４１が自動的に（例えば、時間ｔ８にて）互いに磁気結合を形成し得る。適当な折り目サイズが達成されると、糸３２、３８、３４、３９から電流を取り除くことができ、電流を取り除くことは自動的に糸３２、３８、３４、３９を永久磁石へと転換させ戻し得る。図示したプロセスは、折り目を除去するために容易に反転され得る。
【００１２】
次に図６Ａを参照するに、第１の布４０（実線）と第２の布４２（破線）との間の積層折り目構成の一例が示されている。図示した例では、エレクトロパーマネント磁気特性及び電流を使用して糸４４と４６との間及び糸４８と５０との間に磁気結合を形成することによって、第１の布４０に折り目が作成されている。第１の布４０の糸５２及び５３を第２の布４２の糸５６及び５７に隣接させて位置付けることによって、及び第１の布４０の糸５４及び５５を第２の布４２の糸５８及び５９に隣接させて位置付けることによって、第１の布４０と第２の布４２との間にも磁気結合が形成され得る。このようなアプローチは、第１の布４０と第２の布４２との間の衝撃吸収及び／又は機械的保護として使用され得る空隙６０を作り出し得る。
【００１３】
図６Ｂは、第１の布６１（実線）と第２の布６３（破線）との間の積層折り目構成の他の一例を示している。図示した例では、エレクトロパーマネント磁気特性及び電流を用いて糸６５と６７との間及び糸６９と７１との間に磁気結合を形成することによって、第１の布６１に折り目が作成されている。第２の布６３にも、エレクトロパーマネント磁気特性及び電流を用いて糸７３と７５との間及び糸７７と７９との間に磁気結合を形成することによって折り目が作成され得る。さらに、糸８１及び８３を第２の布６３の糸８５及び８７に隣接させて位置付けることによって、及び第１の布６１の糸９１及び９３を第２の布６３の糸９５及び９７に隣接させて位置付けることによって、第１の布６１と第２の布６３との間にも磁気結合が形成されている。このようなアプローチは、第１の布６１と第２の布６３との間の衝撃吸収及び／又は機械的保護として使用され得る空隙９６を作り出し得る。
【００１４】
次に図７Ａを参照するに、横方向に配されたエレクトロパーマネント磁気特性を持つ金属化合物を糸９８が含んだ、横方向／横断配置が示されている。図示した例では、磁気的に軟らかい材料１００及び磁気的に硬い材料１０２が糸９８の横断面に配置されている。従って、エレクトロパーマネント磁性領域の複数の“スライス”が布糸９８の長さに沿って作成され得る。結果として、図示した糸９８は、糸９８の左右の側面にＮ−Ｓ（Ｎｏｒｔｈ−Ｓｏｕｔｈ）分布を有する。
【００１５】
図７Ｂは、糸１０４、１０６が概して、一端から他端まで糸１０４、１０６の長さ上で分布された磁気的に軟らかい材料を有する長手方向配置を示している。より具体的には、二材料永久磁石を作り出すよう、第１の糸１０４の中央部が、磁気的に硬い材料１０８と、磁気的に軟らかい材料１１０の完全な長手方向配置とを含んでいる。図示した第１の糸１０４は、故に、糸１０４の全体に対して単一のＮセクション及び単一のＳセクションを含んでいる。他の一例において、第２の糸１０６は、第２の糸１０６に沿った複数の硬質材料１０８の配置を用いて断片化された軟質材料１１０の長手方向配置を含んでいる。図示した第２の糸１０６は、故に、糸全体に対して複数のＮ及びＳセクションを含んでいる。断片化された長手方向配置は、糸ごとの完全な長手方向配置の繰り返しであってもよい。繰り返される部分同士の間に、第２の糸１０６が及びまた布がいっそう柔軟になることを可能にする曲げ領域１１２が存在し得る。何れの例でも、結果は、（選択された形に応じて）糸の全長又は部分長さに沿った、上下のセクションにＮ−Ｓ分布を持つ布糸であり得る。図８は、糸が横方向に配されたエレクトロパーマネント磁気特性を有しての、折り目作成シーケンス１１４及び積層折り目作成シーケンス１１６を示している。
【００１６】
図９は、互いに結合された１組の糸６４（６４ａ−６４ｄ）を有する布６２の拡大平面図を示しており、一組の糸６４の各糸がエレクトロパーマネント磁気特性を持つ金属化合物を含んでいる。図示した例では、布６２はまた、一組の糸６４に結合された一組のトランスミッタ６６（例えば、デジタルアナログ変換器、増幅器など）と、一組のトランスミッタ６６に結合されたコントローラ６８（例えば、集積回路／ＩＣチップ、プロセッサ）とを含んでいる。コントローラ６８は、布６２内のターゲット糸を選択して、選択したターゲット糸に電流を印加することができ、この電流が、折り目の作成や、布６２と他の布（図示せず）との間のスライド）などを開始させ得る。また、この電流は、コントローラ６８によって一時的に（例えば、他の磁気結合が形成するのに十分な長さで）印加され得る。図示した布６２はまた、コントローラ６８及び／又はトランスミッタ６６に電力を供給する電源７０（例えば、バッテリ）を含んでいる。これに関して、電流の一時的な印加は、電源７０の物理的な大きさ及び電力定格を最小化することを可能にし得る。
【００１７】
一例において、コントローラ６８は、ターゲット糸を選択するに際してコントローラ６８を支援するロジック７４（例えば、ロジック命令、構成可能ロジック、及び／又は固定機能のハードウェアロジック）を含むモバイルプラットフォーム７２（例えば、タブレットコンピュータ、スマートフォン、モバイルインターネットデバイス／ＭＩＤ、ウェアラブルコンピュータなど）と通信する。例えば、ロジック７４は、モバイルプラットフォーム７２のユーザに、衣料品の画像と、サイズ／フィットや温度仕様などに関する様々な選択肢とを提示し得る。温度仕様の場合、モバイルプラットフォーム７２は、心拍数、発汗レベル、及び／又は周囲温度を（例えば、プラットフォーム上のセンサ及び／又はネットワーク接続を用いて）測定し、そして、測定結果に基づいて（例えば、そのユーザに関する１つ以上の快適性設定に関して）布の最適密度を決定し得る。このようなアプローチは、活動着及び抗重力フライトスーツ（例えば、Ｇスーツ）などにおいて特に有用であり得る。他の一例において、ロジック７４は、医療従事者によって着用されている外科用マスクの適切なフィルタリング特性を自動的に決定するに際してコントローラ６８を支援し得る。モバイルプラットフォーム７２はまた、ポケットの最適な配置及び／又は大きさを決定してもよく、これは例えば、ツールベルトやシャツなどに有用であり得る。
【００１８】
そして、モバイルプラットフォーム７２は、選択結果を、布６２内のコントローラ６８及びこの衣料品内のその他の布に無線で（例えば、Ｂｌｕｅｔｏｏｔｈ（登録商標）、Ｗｉ−Ｆｉなどを介して）伝達し得る。あるいは、モバイルプラットフォーム７２は、選択結果を単一の“ハブ”コントローラへと送信し、そしてそれが、適切な布コントローラに選択情報を解説及び／又は中継してもよい。布及び／又は磁気縫い合わせにおける権限なしでの変更を防止するために、無線通信にセキュリティ層（例えば、暗号／解読、認証）が重畳され得る。
【００１９】
例示した図は、説明の容易さのために縦糸６４のみを示しているが、布６２の糸６４はまた、エレクトロパーマネント磁気特性を持つ金属化合物（例えば、及び対応する一組のトランスミッタ）を有する一組の横糸と編み込まれ得る。また、エレクトロパーマネント磁気特性を有する糸は、状況に応じて、布６２内の全ての糸のうちのサブセットであってもよい。例えば、エレクトロパーマネント磁石糸は、布６２のうち、縫い合わせ及び／又は調節（例えば、スライド又は折り込みによる）に使用される可能性があるゾーンにあるように選択され得る。
【００２０】
図１０は、衣料品を構築する方法７６を示している。方法７６は、繊維製品製造技術を用いて実行されることができ、且つ／或いは、例えばランダムアクセスメモリ（ＲＡＭ）、読み出し専用メモリ（ＲＯＭ）、プログラマブルＲＯＭ（ＰＲＯＭ）、ファームウェア、フラッシュメモリなどの機械読み取り可能若しくはコンピュータ読み取り可能な記憶媒体に格納された一組のロジック命令内の１つ以上のモジュールとして、例えばプログラマブルロジックアレイ（ＰＬＡ）、フィールドプログラマブルゲートアレイ（ＦＰＧＡ）、複合的プログラマブルロジックデバイス（ＣＰＬＤ）などの構成可能ロジックにて、例えば特定用途向け集積回路（ＡＳＩＣ）、相補型金属酸化膜半導体（ＣＭＯＳ）若しくはトランジスタ−トランジスタロジック（ＴＴＬ）技術などの回路技術を用いた固定機能のハードウェアにて、又はこれらの組合せで実装され得る。
【００２１】
図示した処理ブロック７８は、互いに結合された第１組の糸を含む第１の布を供給し、第１組の糸の各糸が、エレクトロパーマネント磁気特性を有する金属化合物を含む。ブロック８０は、互いに結合された第２組の糸を含む第２の布を供給することができ、第２組の糸の各糸が、エレクトロパーマネント磁気特性を有する金属化合物を含み得る。さらに、ブロック８２にて、第１組の糸のうちの１つ以上が、第２組の糸のうちの１つ以上に隣接して配置され得る。既に述べたように、互いに隣接させて糸を位置付けることは、自動的に、逆極性を持つ糸の間に磁気結合を作り出し得る。これに関して、磁気結合に関与する糸の数を増やすことで、着用されている間に（例えば、調節中に）複数の布ピースをともに保持するのに十分な強さの力が生成され得る。
【００２２】
図１１は、コントローラを動作させる方法８４を示している。方法８４は概して、例えば、既に説明したコントローラ６８（図９）などのコントローラに実装され得る。より具体的には、方法８４は、例えばＲＡＭ、ＲＯＭ、ＰＲＯＭ、ファームウェア、フラッシュメモリなどの機械読み取り可能若しくはコンピュータ読み取り可能な記憶媒体に格納された一組のロジック命令内の１つ以上のモジュールとして、例えばＰＬＡ、ＦＰＧＡ、ＣＰＬＤなどの構成可能ロジックにて、例えばＡＳＩＣ、ＣＭＯＳ若しくはＴＴＬ技術などの回路技術を用いた固定機能のハードウェアにて、又はこれらの組合せで実装され得る。
【００２３】
図示した処理ブロック８６は、衣料品内の布同士の間の相対シフトが行われるべきかを決定し得る。ブロック８６は、例えばモバイルプラットフォーム７２（図９）などのモバイルプラットフォームからの１つ以上の通信を解読、認証、解説、及び／又は解析することを含み得る。相対シフトが行われるべきと決定された場合、図示したブロック８８が、第１の布の第１組の糸及び第２の布内の第２組の糸から１つ以上のターゲット糸を選択する。ブロック９０にて、ターゲット糸に（例えば、それぞれ、第１組のトランスミッタ及び第２組のトランスミッタを介して）電流を一時的に印加することができ、この電流が、相対シフトを開始させる。また、ブロック９２にて、（例えば、カットを変更するために）衣料品内の布の折り込みが行われるべきかに関する決定が為され得る。ブロック９２はまた、例えばモバイルプラットフォーム７２（図９）などのモバイルプラットフォームからの１つ以上の通信を解読、認証、解説、及び／又は解析することを含み得る。折り込みが行われるべきと決定された場合、図示したブロック９４が、布内の１つ以上のターゲット糸を選択し、ブロック９０にて、ターゲット糸に（例えば、一組のトランスミッタを介して）電流を一時的に印加することができ、この電流が、折り込みを開始させ得る。方法８４は、その衣料品について特定のサイズ及び／又はカットを得るために反復して繰り返され得る。
【００２４】
付記及び例
例１は、衣料品であって、互いに結合された第１組の糸を含む第１の布であり、上記第１組の糸の各糸が、エレクトロパーマネント磁気特性を有する金属化合物を含む、第１の布と、上記第１の布に結合された第２の布であり、当該第２の布は、互いに結合された第２組の糸を含み、上記第２組の糸の各糸がエレクトロパーマネント磁気特性を有する金属化合物を含む、第２の布と、を有する衣料品を含み得る。
【００２５】
例２は、上記金属化合物は、電磁石と、二材料永久磁石とを含む、例１の衣料品を含み得る。
【００２６】
例３は、上記第１組の糸に結合された第１組のトランスミッタと、上記第２組の糸に結合された第２組のトランスミッタと、上記第１組のトランスミッタ及び上記第２組のトランスミッタに結合された１つ以上のコントローラであり、上記第１組のトランスミッタ又は上記第２組のトランスミッタのうちの１つ以上を介して、上記第１組の糸又は上記第２組の糸のうちの１つ以上の中の１つ以上のターゲット糸に電流を印加する１つ以上のコントローラと、を更に含む例１又は２の衣料品を含み得る。
【００２７】
例４は、上記電流は、上記１つ以上のターゲット糸の中の折り目の作成を開始させるものである、例３の衣料品を含み得る。
【００２８】
例５は、上記電流は、上記第２の布に対する上記第１の布のスライドを開始させるものである、例３の衣料品を含み得る。
【００２９】
例６は、上記１つ以上のコントローラは、上記１つ以上のターゲット糸に上記電流を一時的に印加する、例３の衣料品を含み得る。
【００３０】
例７は、電源を更に含む例１の衣料品を含み得る。
【００３１】
例８は、互いに結合された一組の糸であり、当該一組の糸の各糸が、エレクトロパーマネント磁気特性を有する金属化合物を含む、一組の糸、を有する布を含み得る。
【００３２】
例９は、上記金属化合物は、電磁石と、二材料永久磁石とを含む、例８の布を含み得る。
【００３３】
例１０は、上記一組の糸に結合された一組のトランスミッタと、上記一組のトランスミッタに結合されたコントローラであり、上記一組のトランスミッタを介して上記一組の糸の中の１つ以上のターゲット糸に電流を印加するコントローラと、を更に含む例８又は９の布を含み得る。
【００３４】
例１１は、上記電流は、上記１つ以上のターゲット糸の中の折り目の作成を開始させるものである、例１０の布を含み得る。
【００３５】
例１２は、コントローラを動作させる方法であって、第１組の糸又は第２組の糸のうちの１つ以上の中の１つ以上のターゲット糸に、それぞれ、第１組のトランスミッタ又は第２組のトランスミッタのうちの１つ以上を介して電流を印加することを有し、上記第１組の糸は第１の布の一部であり、上記第２組の糸は第２の布の一部であり、上記第１組の糸及び上記第２組の糸の各糸が、エレクトロパーマネント磁気特性を有する金属化合物を含む、方法を含み得る。
【００３６】
例１３は、上記電流が、上記１つ以上のターゲット糸の中の折り目の作成を開始させる、例１２の方法を含み得る。
【００３７】
例１４は、上記電流が、上記第２の布に対する上記第１の布のスライドを開始させる、例１２の方法を含み得る。
【００３８】
例１５は、上記電流は、上記１つ以上のターゲット糸に一時的に印加される、例１２乃至１４の何れか一の方法を含み得る。
【００３９】
例１６は、一組の命令を有する少なくとも１つの非一時的なコンピュータ読み取り可能記憶媒体であって、上記命令は、コントローラによって実行されるときに該コントローラに、第１組の糸又は第２組の糸のうちの１つ以上の中の１つ以上のターゲット糸に、それぞれ、第１組のトランスミッタ又は第２組のトランスミッタのうちの１つ以上を介して電流を印加させ、上記第１組の糸は第１の布の一部であり、上記第２組の糸は第２の布の一部であり、上記第１組の糸及び上記第２組の糸の各糸が、エレクトロパーマネント磁気特性を有する金属化合物を含む、少なくとも１つの非一時的なコンピュータ読み取り可能記憶媒体を含み得る。
【００４０】
例１７は、上記電流は、上記１つ以上のターゲット糸の中の折り目の作成を開始させるものである、例１６の少なくとも１つの非一時的なコンピュータ読み取り可能記憶媒体を含み得る。
【００４１】
例１８は、上記電流は、上記第２の布に対する上記第１の布のスライドを開始させるものである、例１６の少なくとも１つの非一時的なコンピュータ読み取り可能記憶媒体を含み得る。
【００４２】
例１９は、上記電流は、上記１つ以上のターゲット糸に一時的に印加されるものである、例１６乃至１８の何れか一の少なくとも１つの非一時的なコンピュータ読み取り可能記憶媒体を含み得る。
【００４３】
例２０は、衣料品を構築する方法であって、互いに結合された第１組の糸を含む第１の布を供給し、上記第１組の糸の各糸が、エレクトロパーマネント磁気特性を有する金属化合物を含み、互いに結合された第２組の糸を含む第２の布を供給し、上記第２組の糸の各糸が、エレクトロパーマネント磁気特性を有する金属化合物を含み、且つ上記第１組の糸のうちの１つ以上を、上記第２組の糸のうちの１つ以上に隣接させて位置付ける、ことを有する方法を含み得る。
【００４４】
例２１は、上記金属化合物は、電磁石と、二材料永久磁石とを含む、例２０の方法を含み得る。
【００４５】
例２２は、上記第１組の糸又は上記第２組の糸のうちの１つ以上の中の１つ以上のターゲット糸に、それぞれ、第１組のトランスミッタ又は第２組のトランスミッタのうちの１つ以上を介して電流を印加する、ことを更に含む例２０又は２１の方法を含み得る。
【００４６】
例２３は、上記電流が、上記１つ以上のターゲット糸の中の折り目の作成を開始させる、例２２の方法を含み得る。
【００４７】
例２４は、上記電流が、上記第２の布に対する上記第１の布のスライドを開始させる、例２２の方法を含み得る。
【００４８】
例２５は、上記電流は、上記１つ以上のターゲット糸に一時的に印加される、例２２の方法を含み得る。
【００４９】
例２６は、衣料品を構築するためのコントローラであって、互いに結合された第１組の糸を含む第１の布を供給する手段であり、上記第１組の糸の各糸が、エレクトロパーマネント磁気特性を有する金属化合物を含む、手段と、互いに結合された第２組の糸を含む第２の布を供給する手段であり、上記第２組の糸の各糸が、エレクトロパーマネント磁気特性を有する金属化合物を含む、手段と、上記第１組の糸のうちの１つ以上を、上記第２組の糸のうちの１つ以上に隣接させて位置付ける手段と、を有するコントローラを含み得る。
【００５０】
例２７は、上記金属化合物は、電磁石と、二材料永久磁石とを含むものである、例２６のコントローラを含み得る。
【００５１】
例２８は、上記第１組の糸又は上記第２組の糸のうちの１つ以上の中の１つ以上のターゲット糸に、それぞれ、第１組のトランスミッタ又は第２組のトランスミッタのうちの１つ以上を介して電流を印加する手段、を更に含む例２６又は２７のコントローラを含み得る。
【００５２】
例２９は、上記電流は、上記１つ以上のターゲット糸の中の折り目の作成を開始させるものである、例２８のコントローラを含み得る。
【００５３】
例３０は、上記電流は、上記第２の布に対する上記第１の布のスライドを開始させるものである、例２８のコントローラを含み得る。
【００５４】
例３１は、上記電流は、上記１つ以上のターゲット糸に一時的に印加されるものである、例２８のコントローラを含み得る。
【００５５】
故に、サイズ及び仕立てカットの双方において衣料品を修正するために、動的に、布同士の間の結合線を調節すること及び余分な布を折り込むことを、技術が提供し得る。このプログラム可能な結合線は、手作業による仕立ての費用又は時間をかけずに綺麗な衣類カットを自動的に得ることを可能にしながら、布上のどこにでも置かれ得る。また、布ピースをともに結合するのに必要な時間の量は、着用者の視点から瞬間的であると見なされるのに十分な短さであり得る。
【００５６】
実施形態は、あらゆるタイプの半導体集積回路（“ＩＣ”）チップとの使用に適用可能である。それらのＩＣチップの例は、以下に限られないが、プロセッサ、コントローラ、チップセットコンポーネント、プログラマブルロジックアレイ（ＰＬＡ）、メモリチップ、ネットワークチップ、システム・オン・チップ（ＳｏＣ）、ＳＳＤ／ＮＡＮＤコントローラＡＳＩＣ、及びこれらに類するものを含み得る。また、一部の図において、信号導線が線で表されている。一部は、より多くの構成信号パスを示すために、番号ラベルを有するように、多数の構成信号パスを示すために、及び／又は主たる情報流れ方向を指し示すために１つ以上の端に矢印を有するように、異なることがある。しかしながら、これは限定的に解釈されるべきでない。むしろ、そのような追加の詳細は、回路のいっそう容易な理解を支援するために、１つ以上の例示的実施形態に関連して使用されている。表された如何なる信号線も、付加的な情報を有するか否かにかかわらず、実際には、複数の方向に進み得る１つ以上の信号を有することができ、また、例えば、差動ペア、光ファイバー回線、及び／又はシングルエンド線路で実装されるデジタル又はアナログのラインといった、如何なる好適タイプの信号スキームで実装されてもよい。
【００５７】
サイズ／モデル／値／範囲の例が与えられることがあるが、実施形態は同じものに限定されない。製造技術（例えば、フォトリソグラフィ）が時間とともに成熟するにつれ、より小さいサイズのデバイスが製造され得ることが期待される。また、ＩＣチップ及び他のコンポーネントへの周知の電源／グランド接続は、図示及び説明の単純化のために、及び実施形態の特定の態様を不明瞭にしないように、図中に示されたり示されなかったりし得る。さらに、構成がブロック図の形態で示されることがあるが、それは、実施形態を不明瞭にすることを避けるためであるとともに、そのようなブロック図構成の実装に関する細部が、その中で実施形態が実装されることになるプラットフォームに大きく依存するという事実、すなわち、そのような細部は当業者の権限範囲の中にあるはずであるという事実に鑑みてのことである。実施形態例を説明するために具体的細部（例えば、回路）が記載されているとしても、当業者に明らかであるはずのことには、実施形態はそれらの具体的細部を用いずに、あるいはその変形を用いて、実施されることができる。従って、その記載は、限定ではなく例示と見なされるべきである。
【００５８】
用語“結合され”は、ここでは、問題としているコンポーネント間の直接的又は間接的な関係のタイプを指すために使用されることがあり、電気的、機械的、流体的、光学的、電磁気的、電気化学的、又はその他の接続に適用され得る。また、用語“第１の”、“第２の”などは、ここでは、単に説明を容易にするために使用されることがあり、別段の指示がない限り、如何なる特定の時間的又は年代的な意味を持たない。
【００５９】
本出願及び請求項で使用されるとき、用語“のうちの１つ以上”によってつなげられるアイテムのリストは、リストにある用語の任意の組み合わせを意味し得る。例えば、“Ａ、Ｂ又はＣのうちの１つ以上”という言い回しは、Ａ、Ｂ、Ｃ；Ａ及びＢ；Ａ及びＣ；Ｂ及びＣ；又はＡ、Ｂ及びＣを意味し得る。
【００６０】
以上の説明から当業者が理解することには、実施形態の広範な技術は様々な形態で実施され得る。故に、実施形態がその特定の例に関して説明されてはいるが、図面、明細書及び以下の請求項の検討によって他の変更が当業者に明らかになるのであるから、実施形態の真の範囲はそのように限定されるべきでない。
【図１】
0006641385.tif 000002
【図２】
0006641385.tif 000003
【図３】
0006641385.tif 000004
【図４】
0006641385.tif 000005
【図５Ａ】
0006641385.tif 000006
【図５Ｂ】
0006641385.tif 000007
【図６Ａ】
0006641385.tif 000008
【図６Ｂ】
0006641385.tif 000009
【図７Ａ】
0006641385.tif 000010
【図７Ｂ】
0006641385.tif 000011
【図８】
0006641385.tif 000012
【図９】
0006641385.tif 000013
【図１０】
0006641385.tif 000014
【図１１】
0006641385.tif 000015